(57)【要約】【課題】  自然石による景観の良さと魚道ブロックによる遡上性の良さとを得る。たとえ自然石の部分で気泡流・乱流が生じても、魚が魚道ブロックから遡上できるようにする。また、自然石をその形状・配置・方向等に左右されずに自由に設置できるようにする。【解決手段】  魚道は、二つの側壁１１と一つの隔壁１２とを備えた魚道ブロック１０を河川横断方向に相互間隔をおきつつ複数個設置するとともに、魚道ブロック１０の各相互間隔に自然石９を横並びに複数個設置することにより、横一列状の遡上用ステップ１を形成し、遡上用ステップ１を河川長方向に相互間距離をおいて複数ステップ形成してなる。【選択図】        図１
2005344357.tif 000002
【特許請求の範囲】
【請求項１】
二つの側壁と該側壁間を横断する少なくとも一つの隔壁とを備えた魚道ブロックを河川横断方向に相互間隔をおきつつ複数個設置するとともに、前記魚道ブロックの各相互間隔に自然石を横並びに複数個設置することにより、横一列状の遡上用ステップを形成し、前記遡上用ステップを河川長方向に相互間距離をおいて複数ステップ形成してなる魚道。
【請求項２】
前記相互間距離における各魚道ブロックの上流側出口から直ぐ上流へ離れた箇所に自然石を設置した請求項１記載の魚道。
【請求項３】
河川長方向に隣り合う各二つの遡上用ステップにおいて、各魚道ブロックは河川長方向に並ばない千鳥状に配置した請求項１又は２記載の魚道。
【請求項４】
前記魚道ブロックは、二つの側壁の各内面を下方へ延長した二つの分割面によって、側壁及びその下方の底盤側部とからなる二つのサイド部材と、隔壁とその下方の底盤中央部とからなる一つのセンター部材とに分割形成してから、互いに結合したものである請求項１、２又は３記載の魚道。
【請求項５】
前記側壁の全体が金属で厚さ３〜５ｃｍに形成された請求項１、２、３又は４記載の魚道。
【請求項６】
少なくとも前記側壁の端面部分が弾性高分子材料で形成された請求項１、２、３又は４記載の魚道。
【請求項７】
前記側壁の全体が弾性高分子材料で形成された請求項１、２、３又は４記載の魚道。
【発明の詳細な説明】
【技術分野】
【０００１】
本発明は、魚の遡上のための魚道に関するものである。
【背景技術】
【０００２】
従来より、河床の斜面に多数の自然石を分散設置し、自然石で流速を抑えるとともに、自然石の回りに魚が遡上するための越流部を形成する魚道が知られている（特許文献１〜３）。自然石を使用した魚道は、景観が良いと評価されている。
【特許文献１】特開平９−２７９５５２号公報
【特許文献２】特開平１０−１１４９２８号公報
【特許文献３】特開平１０−２９８９５９号公報
【発明の開示】
【発明が解決しようとする課題】
【０００３】
ところが、自然石を用いた従来の魚道では、水流が自然石に突き当たり、跳ね上げられ、気泡流・乱流となる等、水流を制御できていないものが多く、魚の遡上の障害になっている事例が多く見られる。自然石の形状は個々に異なり、色々な方向にごつごつと角張ったものもあるため、施工時の自然石の配置や方向により、水流を適切に制御できないからである。
【０００４】
本発明の目的は、上記課題を解決し、自然石による景観の良さと魚道ブロックによる遡上性の良さとを得ることができ、たとえ自然石の部分で気泡流・乱流が生じても、魚は魚道ブロックを見つけてその隔壁が作る遡上しやすい越流部から良好に遡上することができ、自然石をその形状・配置・方向等に左右されずに自由に設置することができる魚道を提供することにある。
【課題を解決するための手段】
【０００５】
上記の課題を解決するために、本発明に係る魚道は、二つの側壁と該側壁間を横断する少なくとも一つの隔壁とを備えた魚道ブロックを河川横断方向に相互間隔をおきつつ複数個設置するとともに、前記魚道ブロックの各相互間隔に自然石を横並びに複数個設置することにより、横一列状の遡上用ステップを形成し、前記遡上用ステップを河川長方向に相互間距離をおいて複数ステップ形成してなることを特徴とする。
【０００６】
ここで、遡上用ステップ間での隔壁の上端の高低差は、特に限定されないが、ほぼ隔壁の高さ（底盤上面からの高さ）とすることが好ましい。遡上用ステップ間の河川長方向の相互間距離は、この高低差と河川の勾配に応じて変わるため特に限定されず、例えば０．５〜２０ｍ程度の範囲から適宜決めることができるが、１．５〜３ｍ程度が好ましい。１．５ｍより小さいと、プール内の流況が乱れるおそれがある。
【０００７】
魚道ブロックの河川横断方向の相互間隔は、特に限定されず、河川の幅や流量に応じて決めることができ、流量が少ないところでは相互間隔を広くし、流量が多いところでは相互間隔を狭くする。具体的には相互間隔は、例えば０．５〜１０ｍ程度の範囲から適宜決めることができるが、０．５〜２ｍ程度が好ましい。また、河川横断方向に３個以上の魚道ブロックを設置する場合に、２つ以上できる相互間隔は均等でも不均等でもよく、また魚道ブロックどうしが間隔をおかずに接して並ぶものを一部に含んでもよい。
【０００８】
また、この相互間距離における各魚道ブロックの上流側出口から直ぐ上流へ離れた箇所に自然石を設置することが好ましい。この自然石は、魚道ブロックの上流側出口に流れ込む水の流速をその直前で低減するので、該魚道ブロックを魚が遡上しやすくなる。
【０００９】
また、河川長方向に隣り合う各二つの遡上用ステップにおいて、各魚道ブロックは河川長方向に並ばない千鳥状に配置されることが好ましい。すなわち、一方の遡上用ステップの魚道ブロックの延長線上には、他方の遡上用ステップの自然石が位置することになる。
【００１０】
［魚道ブロック］
魚道ブロックは、二つの側壁と該側壁間を横断する少なくとも一つの隔壁とを備えていればよく、隔壁は例えば側壁の長さ方向中央に一つでもよいし、側壁の長さ方向両端に二つでもよい。底盤については備えていても備えていなくてもよく、備えていない場合はその魚道ブロックの下部を河床に打設するコンクリートに埋めたときに該コンクリートが底盤を形成する。
【００１１】
魚道ブロックは、全体を一体形成してもよいし、任意の分割面で複数の部材に分割形成してから互いに結合してもよい。例えば、二つの側壁と該側壁間を横断する少なくとも一つの隔壁と底盤とを備える魚道ブロックを分割形成する場合、分割面としては、特に限定されないが、二つの側壁の各内面を下方へ延長した境界面を例示できる。この例示では、魚道ブロックを、側壁及びその下方の底盤側部とからなる二つのサイド部材と、隔壁とその下方の底盤中央部とからなる一つのセンター部材とに分割形成することになる。分割形成した部材の結合は、特に限定されないが、ネジによる結合が簡単である。
【００１２】
本発明では、河川長方向に相互間距離をおくことから、魚道ブロックの端面に転石や流木が衝突して該端面が損傷する可能性が高くなる。そこで、魚道ブロックは次に例示するような態様で形成することが好ましい。
【００１３】
（ａ）少なくとも側壁の端面部分（好ましくは少なくとも側壁の端面部分及び上面部分）を金属で形成する態様。形成方法は、特に限定されないが、鋳造（金属鋳物）が好ましい。この態様には次の三例が含まれる。
（ａ１）魚道ブロック全体を金属で形成する。
（ａ２）側壁の全体（又は前記サイド部材全体）を金属で形成し、底盤と隔壁（又は前記センター部材）をコンクリートで形成する。
（ａ３）側壁の端面部分（好ましくは側壁の端面部分及び上面部分）のみを金属で形成し、残部はコンクリートで形成する。
コンクリートに比べて剛性の高い金属を用いることで（特に（ａ１）又は（ａ２））、側壁の厚さを３〜５ｃｍ程度に薄く形成することができる。これにより、自然石の間に人工の魚道ブロックが存在しても目立たず、景観を損ねない利点がある。
【００１４】
（ｂ）少なくとも側壁の端面部分（好ましくは少なくとも側壁の端面部分及び上面部分）を弾性高分子材料で形成する態様。弾性高分子材料には、ゴム、ゴム状の軟質樹脂及びエラストマーが含まれる。この態様には次の二例が含まれる。
（ｂ１）側壁の全体（又は前記サイド部材全体）を弾性高分子材料で形成し、底盤と隔壁（又は前記センター部材）をコンクリートで形成する。
（ｂ２）側壁の端面部分（好ましくは側壁の端面部分及び上面部分）のみを弾性高分子材料で形成し、残部はコンクリートで形成する。
弾性高分子材料を用いることで、コンクリートの破損を回避することができる。
【００１５】
魚道ブロックの設置は、次のいずれでもよい。
（ア）他のブロックとは孤立した魚道ブロックを、その下部を河床に打設するコンクリートに埋めて、設置する。この場合、魚道ブロックの下部を埋める深さは３０ｃｍ以上が好ましい。よって、魚道ブロックが底盤を備える場合、底盤の厚さは３０〜５０ｃｍｍが好ましい。
（イ）魚道ブロックを他のブロック（例えば後述する（ｄ）の自然石付きブロック）と連結し、河床（又は打設したコンクリート盤）に載置して設置する。
【００１６】
［自然石］
自然石は、設置したときにその上端高さが同じ遡上用ステップの魚道ブロックの隔壁の上端高さより低くならず且つ１０ｃｍ以上越えないものが大半となるようにすることが好ましく（自然石のため、全数を厳密に管理することは困難である）、そうなるように自然石の寸法や河床に打設するコンクリートへの埋込み深さ等を決めるとよい。自然石をこのような高さで設置することで、該自然石のすぐ上流側に水流の弱まったプールが形成され、遡上を続ける魚がこのプールで休むことができるからである。なお、自然石の形状は、特に限定されず、球に近い滑らかなものであってもよいし、ごつごつと角張ったものでもよい。本発明の魚道においては、魚道ブロック部分で遡上しやすい越流部を確保するので、自然石部分で気泡流・乱流が生じても構わないからである。
【００１７】
自然石の設置は、次のいずれでもよい。
（ウ）一個一個独立した自然石を用い、それぞれの下部を河床に打設するコンクリートに埋めて横並びに複数個設置する。
（エ）予め自然石を横並びに複数個配してそれぞれの下部を埋めた平板状のブロックをプレキャストコンクリートで形成し、該自然石付きブロックを他のブロック（例えば自然石付きブロックどうし、又は前記（ｂ）の自然石付きブロック）と連結し、河床（又は打設したコンクリート盤）に載置して設置する。
【発明の効果】
【００１８】
本発明に係る魚道によれば、自然石による景観の良さと魚道ブロックによる遡上性の良さとを得ることができ、たとえ自然石の部分で気泡流・乱流が生じても、魚は魚道ブロックを見つけてその隔壁が作る遡上しやすい越流部から良好に遡上することができ、自然石をその形状・配置・方向等に左右されずに自由に設置することができる、という優れた効果を奏する。
【発明を実施するための最良の形態】
【００１９】
魚道は、二つの側壁１１と該側壁１１間を横断する少なくとも一つの隔壁１２とを備えた魚道ブロック１０を河川横断方向に相互間隔をおきつつ複数個設置するとともに、魚道ブロック１０の各相互間隔に自然石９を横並びに複数個設置することにより、横一列状の遡上用ステップ１を形成し、遡上用ステップ１を河川長方向に相互間距離をおいて複数ステップ形成してなる。
【実施例１】
【００２０】
図１〜図３に示す実施例１の魚道は、二つの側壁（整流壁）１１と該側壁１１間を横断する一つの隔壁１２と底盤１３とを備えた魚道ブロック１０を河川横断方向に相互間隔をおきつつ複数個設置するとともに、魚道ブロック１０の各相互間隔に自然石９を横並びに複数個設置することにより、横一列状の遡上用ステップ１を形成し、この遡上用ステップ１を河川長方向に相互間距離をおいて複数ステップ形成してなるものである。なお、図１において、実線の矢印が水流の向き（下流へ向かう河川長方向）であり、破線の矢印が魚の遡上の向きである。
【００２１】
魚道ブロック１０は、二つの側壁１１の各内面を下方へ延長した二つの分割面によって、側壁１１及びその下方の底盤側部１３ａとからなる二つのサイド部材１４と、隔壁１２とその下方の底盤中央部１３ｂとからなる一つのセンター部材１５とに分割形成され、外部からサイド部材１４に通すボルト１７をセンター部材１５のアンカーナット１６に締め付けることにより互いに結合されたものである。
【００２２】
サイド部材１４は金属鋳物（例えば鋳鉄鋳物）であり、その厚さは約３ｃｍ、長さは約７０ｃｍ、高さは約７０ｃｍである。この高さのうち、底盤側部１３ａの高さが約３０ｃｍ、底盤側部１３ａからの側壁１１の高さが約４０ｃｍである。
【００２３】
センター部材１５は補強鉄筋（図示略）を埋設したコンクリートで形成されたものであり、その幅は約２０ｃｍ、長さは約７０ｃｍ、高さは約５０ｃｍである。この高さのうち、底盤中央部１３ｂの高さが約３０ｃｍ、底盤中央部１３ｂからの隔壁１２の高さが約２０ｃｍである。隔壁１２の上端は気泡流・乱流の起きない滑らかな越流部を作ることができるようにＲ面となっている。
【００２４】
自然石９には、仮に球で表したとして平均直径が５０〜６０ｃｍのものが大半用いられている。自然石９の形状は、球に近い滑らかなものでも、ごつごつと角張ったものでもよい。
【００２５】
河床２には固定用コンクリート３が打設され、魚道ブロック１０及び自然石９はそれらの下部を固定用コンクリート３に埋めて設置される。魚道ブロック１０の下部を埋める深さは、ほぼ底盤１３の高さ分の約３０ｃｍである。自然石９の下部を埋める深さは、約２５〜３０ｃｍである。従って、この設置により自然石９は、その上端高さが同じ遡上用ステップ１の魚道ブロック１０の隔壁１２の上端高さより低くならず且つ１０ｃｍ以上越えないものが大半となるため、該自然石９のすぐ上流側に水流の弱まったプールが形成され、遡上を続ける魚がこのプールで休むことができる。
【００２６】
河川長方向に隣り合う各二つの遡上用ステップ１において、魚道ブロック１０の隔壁１２の上端の高低差は、底盤中央部１３ｂからの隔壁１２の高さ（本実施例では約２０ｃｍ）とほぼ同じであり、遡上用ステップ１間の河川長方向の相互間距離は１．５〜３ｍである。また、魚道ブロック１０の河川横断方向の相互間隔は、河川の幅や流量に応じて決めることができ、例えば０．５〜２ｍである。
【００２７】
また、この相互間距離における各魚道ブロック１０の上流側出口から直ぐ上流へ離れた箇所に自然石８が設置される。この自然石８は、魚道ブロック１０の上流側出口に流れ込む水の流速をその直前で低減するので、該魚道ブロック１０を魚が遡上しやすくなる。また、河川長方向に隣り合う各二つの遡上用ステップ１において、各魚道ブロック１０は河川長方向に並ばない千鳥状に配置されている。
【００２８】
本実施例１の魚道によれば、自然石９による景観の良さと、魚道ブロック１０による遡上性の良さとを得ることができる。すなわち、自然石９を多く用いるので、景観の良さを得ることができ、たとえ自然石９の部分で気泡流・乱流が生じても、魚は魚道ブロック１０を見つけてその隔壁１２が作る遡上しやすい越流部から良好に遡上することができるので、自然石９をその形状・配置・方向等に左右されずに自由に設置することができる。また、側壁１１を金属鋳物で形成しているので、その端面に転石や流木が衝突しても損傷しにくい。さらに、側壁１１を金属鋳物で薄く形成しているので、自然石９の間に人工の魚道ブロック１０が存在しても目立たず、景観を損ねない。
【００２９】
続いて、図４に示す魚道ブロック１０の変更例は、センター部材１５の下部を底盤側部１３ａの下半分まで拡張し、その分だけサイド部材１４を小さくしたものである。金属鋳物よりもコンクリートの方が安価なため、コストを下げることができる。
【００３０】
また、図５に示す魚道ブロック１０の別の変更例は、サイド部材１４も補強鉄筋（図示略）を埋設したコンクリートで厚さ約１０ｃｍに形成し、側壁１１の端面部分と上面部分とにゴム製の緩衝カバー１０１を取り付けたものである。この緩衝カバー１０１によっても、転石や流木が衝突したときの損傷を防止・軽減することができる。
【００３１】
また、図６に示す魚道ブロック１０のさらに別の変更例は、側壁１１と隔壁１２と底盤１３とをコンクリートで一体形成したものである。
【実施例２】
【００３２】
次に、図７及び図８に示す実施例２の魚道は、二つの側壁１１と該側壁１１間を横断する一つの隔壁１２と底盤１３とを備えた魚道ブロック１０を河川横断方向に相互間隔をおきつつ複数個設置するとともに、魚道ブロック１０の各相互間隔に自然石付きブロック３０を設置することで自然石９を横並びに複数個設置することにより、横一列状の遡上用ステップ１を形成し、この遡上用ステップ１を河川長方向に相互間距離をおいて複数ステップ形成してなるものである。
【００３３】
魚道ブロック１０は、側壁１１と隔壁１２と底盤１３とをコンクリートで一体形成したものであり、底盤１３の下流側端部及び上流側端部に連結用凸部１８及び連結用凹部１９が相対的（順不同）に形成されている。また、実施例１よりも隔壁１２の幅が約７０ｃｍと大きく形成され、隔壁１２の上端は高さの異なる越流部を作ることができるように高部１２ａと低部１２ｂの二段に形成され、いずれもＲ面となっている。
【００３４】
自然石付きブロック３０は、予め自然石９を横並びに複数個配してそれぞれの下部を埋めた平板状のブロックをプレキャストコンクリートで形成したものであり、その下流側端部及び上流側端部に連結用凸部３１及び連結用凹部３２が相対的（順不同）に形成されている。
【００３５】
そして、河床２の上（又はその上に打設された捨てコンクリートの上）に、魚道ブロック１０と自然石付きブロック３０とが河川横断方向に並べられることにより遡上用ステップ１が形成される。また、魚道ブロック１０と自然石付きブロック３０とが河川長方向に連結されることにより複数のステップが形成される。
【００３６】
本実施例によっても、実施例１と同様の効果が得られる。
【００３７】
本発明は前記実施形態に限定されるものではなく、発明の趣旨から逸脱しない範囲で適宜変更して具体化することもできる。
【図面の簡単な説明】
【００３８】
【図１】本発明に係る実施例１の魚道の斜視図である。
【図２】同魚道に用いる魚道ブロックの分解斜視図である。
【図３】同魚道の遡上用ステップの断面図である。
【図４】同魚道ブロックの変更例の分解斜視図である。
【図５】同魚道ブロックの別の変更例の分解斜視図である。
【図６】同魚道ブロックのさらに別の変更例の分解斜視図である。
【図７】実施例２の魚道の斜視図である。
【図８】（ａ）は同魚道に用いる魚道ブロックの斜視図、（ｂ）は自然石付きブロックの斜視図である。
【符号の説明】
【００３９】
１    遡上用ステップ
２    河床
３    固定用コンクリート
８    自然石
９    自然石
１０    魚道ブロック
１１    側壁（整流壁）
１２    隔壁
１３    底盤
１３ａ  底盤側部
１３ｂ  底盤中央部
１４    サイド部材
１５    センター部材
３０    自然石付きブロック
３１    連結用凸部
３２    連結用凹部
１０１    緩衝カバー
【図１】
2005344357.tif 000003
【図２】
2005344357.tif 000004
【図３】
2005344357.tif 000005
【図４】
2005344357.tif 000006
【図５】
2005344357.tif 000007
【図６】
2005344357.tif 000008
【図７】
2005344357.tif 000009
【図８】
2005344357.tif 000010